(57)【要約】【課題】導光板を用いた演出効果を向上させた演出装置、及び遊技機を提供する。【解決手段】演出装置は、光源３５、及び導光板４０を備える。導光板４０の拡散面４６によって形成される開口孔４６Ａは、導光板４０の湾曲方向に亘って形成される。光源３５によって発光された光は、入射面を介して導光板４０の内部に進入する。内部に進入した光を導光板４０が厚さ方向の一方側（外周面側）に向けて反射することで、第一図柄、第二図柄、及び第三図柄が浮かび上がるように見える。導光板４０が湾曲しているので、第一図柄、第二図柄、及び第三図柄は湾曲する。【選択図】図４
2019209015.tif 000002
【特許請求の範囲】
【請求項１】
光源と、
湾曲した板状に形成され、前記光源の光を厚さ方向の一方側に向けて反射する導光板と
を備え、
前記導光板のうちで前記一方側とは反対側の端面は、開口孔を形成し、
前記開口孔は、前記導光板が湾曲する方向に亘って、形成されることを特徴とする演出装置。
【請求項２】
前記導光板を回転可能に保持する保持手段を備えることを特徴とする請求項１に記載の演出装置。
【請求項３】
前記開口孔の内側には、装飾体の少なくとも一部が配置されることを特徴とする請求項１又は２に記載の演出装置。
【請求項４】
前記光源は、複数色の光を放つことを特徴とする請求項１から３のいずれかに記載の演出装置。
【請求項５】
前記導光板は、内部を通過する光の色に応じて異なる図柄を表示することを特徴とする請求項４に記載の演出装置。
【請求項６】
請求項１から５のいずれかに記載の演出装置を備えることを特徴とする遊技機。
【発明の詳細な説明】
【技術分野】
【０００１】
本発明は、導光板を備える演出装置、及び遊技機に関する。
【背景技術】
【０００２】
特許文献１に開示される遊技機は導光板を備える。導光板は正面視矩形状の板状体である。導光板の内部に照射された光が前方に向けて反射されることで、導光板上で図柄が明るく浮かび上がったように見える。
【先行技術文献】
【特許文献】
【０００３】
【特許文献１】特開２０１７−１８４８６９号公報
【発明の概要】
【発明が解決しようとする課題】
【０００４】
しかし、板状体に形成された導光板は、様々な遊技機で搭載されているので、遊技者にとって見慣れたものとなる可能性がある。従って、上記遊技機では、導光板を用いた演出効果が十分に発揮されない可能性がある。
【０００５】
本発明の目的は、導光板を用いた演出効果を向上させた演出装置、及び遊技機を提供することである。
【課題を解決するための手段】
【０００６】
本発明の第一態様に係る演出装置は、光源と、湾曲した板状に形成され、前記光源の光を厚さ方向の一方側に向けて反射する導光板とを備え、前記導光板のうちで前記一方側とは反対側の端面は、開口孔を囲み、前記開口孔は、前記導光板が湾曲する方向に亘って、形成されることを特徴とする。
【０００７】
導光板が、内部に進入した光を一方側に反射することで、導光板上で図柄が浮かび上がるように見える。導光板が湾曲しているので、図柄も湾曲する。よって、導光板を用いた演出効果を向上させた演出装置が実現する。
【０００８】
前記演出装置は、前記導光板を回転可能に保持する保持手段を備えてもよい。保持手段により導光板が回転するので、導光板を用いた演出効果は更に向上する。
【０００９】
前記演出装置では、前記開口孔の内側には、装飾体の少なくとも一部が配置されてもよい。導光板上で浮かび上がる図柄と、装飾体とを、遊技者は重ねて視認できる。よって、導光板を用いた演出効果は更に向上する。
【００１０】
前記演出装置では、前記光源は、複数色の光を放ってもよい。導光板上で浮かび上がる図柄がカラフルになるので、導光板を用いた演出効果は更に向上する。
【００１１】
前記演出装置では、前記導光板は、内部を通過する光の色に応じて異なる図柄を表示してもよい。色に応じて異なる図柄が導光板上で浮かび上がるので、導光板を用いた演出効果は更に向上する。
【００１２】
本発明の第二態様に係る遊技機は、上記演出装置を備えることを特徴とする。第二態様の遊技機は、第一態様の演出装置と同様の効果を奏する。
【図面の簡単な説明】
【００１３】
【図１】パチンコ機１の正面図である。
【図２】遊技盤２の正面図である。
【図３】演出装置３０の正面図である。
【図４】導光板４０の斜視図である。
【図５】図３のＡ−Ａ線矢視方向における導光板４０の断面図である。
【図６】保持手段１５０の正面図である。
【図７】演出装置３１の斜視図である。
【発明を実施するための形態】
【００１４】
本発明の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００１５】
図１及び図２を参照し、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、遊技球発射装置（図示略）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１６】
遊技盤２の前面には、ガイドレール３で囲まれた略円形の遊技領域４が形成されている。遊技球発射装置（図示略）によって発射された遊技球は、遊技領域４内を流下する。遊技領域４の略中央に、枠状の装飾枠１１が配設されている。装飾枠１１の中央下側に、特別図柄始動入賞口１５が設けられている。特別図柄始動入賞口１５の下側に、遊技領域４の中央下端部まで流下した遊技球を回収するアウト口１６が設けられる。特別図柄始動入賞口１５の右方には、アタッカー１７が配設されている。アタッカー１７が備える開閉部材が開放された場合にのみ、遊技球はアタッカー１７に入賞する。
【００１７】
遊技盤２の後面側には、ＬＣＤ（液晶ディスプレイ）等の表示面２７を有する画像表示装置２８が設けられている。表示面２７は、正面視で装飾枠１１の内側に設けられ、前方に向けて画像を表示可能である。表示面２７は、例えば、大当たり判定の結果を遊技者に報知する。画像表示装置２８は、複数（本実施形態では３つ）の演出図柄を変動させる図柄変動を表示した後に、大当たり判定の結果を示す演出図柄の組合せを確定表示する報知演出を実行することで、大当たり判定の結果を遊技者に報知する。遊技領域４の右斜め下部には図柄表示部２４が設けられている。図柄表示部２４は、特別図柄表示部、普通図柄表示部、特別図柄記憶数表示ＬＥＤ、および普通図柄記憶数表示ＬＥＤを備える。表示面２７の右前側には、演出装置３０が設けられている。演出装置３０は、所定の図柄を表示可能である。演出装置３０で表示される図柄は、文字、図形、記号、絵柄、およびキャラクターなどである。演出装置３０の構成の詳細については後述する。
【００１８】
遊技盤２の後面側には、制御部（図示略）が設けられる。制御部は、主基板（図示外）及びサブ基板（図示外）等を含む。主基板はパチンコ機１の主制御を司る。主基板には、各種の演算処理を実行するＣＰＵ、データを一時的に記憶するＲＡＭ、および制御プログラム等を記憶したＲＯＭが設けられている。サブ基板は、主基板と電気的に接続されている。サブ基板には、主基板と同様に、ＣＰＵ、ＲＡＭ、およびＲＯＭが設けられている。サブ基板は、ランプ基板（図示略）を介して、演出装置３０及び画像表示装置２８等と電気的に接続する。主基板から送信されるコマンドに応じて、サブ基板がランプ基板に所定のコマンドを送信することにより、演出装置３０及び画像表示装置２８等は動作する。本実施形態では、遊技球が、特別図柄始動入賞口１５に入賞すると、制御部は大当り判定を実行する。制御部は、大当たりであると判定すると、大当たり遊技を実行し、アタッカー１７の開閉部材を開放する。制御部は、アタッカー１７に入賞した遊技球に応じて、賞球を払い出す。
【００１９】
図３〜図５を参照し、演出装置３０の構成を説明する。図３に示すように、演出装置３０は、支持台３２、移動手段７０、保持手段５０、導光板４０、光源３５、装飾体８０（図２参照）、及び装飾体駆動部９０（図２参照）を備える。各構成要素の概要は、以下の通りである。移動手段７０は、支持台３２を左右方向に移動させる。導光板４０は、湾曲した板状である。導光板４０は、厚さ方向の一方側である外周面側に向けて光を反射することによって、図柄を浮かび上がらせて表示させることができる。光源３５は、導光板４０の左端部４１に設けられる。左端部４１は、左右方向（即ち導光板４０の厚さ方向と、導光板４０の湾曲方向とに直交する方向）における導光板４０の一端部である。保持手段５０は、左右方向に延びる軸線（図示略）を中心として、導光板４０と光源３５を回転可能に保持する。装飾体８０（図２参照）は、人間の顔を模っており、導光板４０の内側に挿通される。装飾体駆動部９０は、左右方向を軸方向として装飾体８０を回転させる。導光板４０と装飾体８０は、遊技者にとって視認容易である。
【００２０】
支持台３２は、一例として箱状に形成され、遊技者にとって視認不能な位置に設けられる。支持台３２は、導光板４０、光源３５、及び保持手段５０を支持する。支持台３２には、左右に延びるレールが挿通される。レールは、装飾枠１１（図２参照）の後部に固定されており、左右方向に延びる。支持台３２は、レールに沿って左右方向に移動可能である。
【００２１】
移動手段７０は、ラックギヤ部７２、二つのピニオン７４、及び移動モータ（図示略）を備える。ラックギヤ部７２は、支持台３２の下面に形成されており、左右方向に等間隔に配置した複数のギヤ歯である。二つのピニオン７４は、いずれも、前後方向を軸方向として回転可能に設けられると共に、ラックギヤ部７２と噛合する。移動モータは、支持台３２の下側に固定される。移動モータは、図示しない軸部材および複数のギヤ等を介して、二つのピニオン７４と駆動連結する。移動モータが駆動することで、二つのピニオン７４は、それぞれの回転中心に対して、同一方向且つ同一速さで回転する。従って、支持台３２は、移動モータの駆動力によって、レール（図示略）に沿って左右方向に移動できる。保持手段５０、導光板４０、及び光源３５は、支持台３２と共に左右方向に移動する。
【００２２】
保持手段５０は、モータ５２、軸部材５１、左連結ギヤ５４、及び、右連結ギヤ５５を備える。モータ５２は、支持台３２の内部に設けられる。軸部材５１は、支持台３２の内部に設けられ、左右方向を軸方向として回転可能である。左連結ギヤ５４と右連結ギヤ５５は、それぞれ、軸部材５１の左端部と右端部とに固定される。左連結ギヤ５４と右連結ギヤ５５は、それぞれ、支持台３２の上部に設けられた二つの開口孔（図示略）から上方に突出する。モータ５２が駆動することで、左連結ギヤ５４と右連結ギヤ５５は、軸部材５１を中心に、同一方向且つ同一速さで回転する。
【００２３】
図３に示すように、導光板４０は、基部４５、左固定部６１、及び右固定部６２を備える。基部４５は、側面視で円環状に形成された板状部材である（言い換えると、導光板４０の湾曲方向は、左右方向に延びる軸線を中心とした円周方向である）。基部４５の材質は、例えば、ポリメチルメタクリレート、ポリカーボネート、及びシクロオレフィンポリマー等の透光性を有する樹脂材料であり、本実施形態では透明なポリメチルメタクリレートが採用される。遊技者が導光板４０の内側を視認可能な程度に、基部４５は透光性を有していればよい。従って、基部４５は、透明である代わりに赤色又は青色等の有色であってもよい。
【００２４】
左固定部６１は、基部４５の左端部４１に固定され、右固定部６２は、基部４５の右端部４２に固定される。左固定部６１と右固定部６２は、透光性を有する樹脂材料によって形成される。
【００２５】
左固定部６１と右固定部６２の外周面には、それぞれ、左歯部６１Ａと右歯部６２Ａとが設けられる。左歯部６１Ａと右歯部６２Ａは、いずれも、導光板４０が湾曲する方向に沿って配置された複数のギヤ歯である。左歯部６１Ａの下部は、左連結ギヤ５４の上部と噛み合い、右歯部６２Ａの下部は、右連結ギヤ５５の上部と噛み合う。これにより、導光板４０は、保持手段５０によって、左右方向を軸方向として回転可能に保持される。尚、左歯部６１Ａと左連結ギヤ５４との間、及び、右歯部６２Ａと右連結ギヤ５５との間には、十分な摩擦力が生じており、それゆえ、導光板４０は、左歯部６１Ａと右歯部６２Ａから脱落しないように構成されている。尚、図４では、左歯部６１Ａと右歯部６２Ａの図示を省略している。
【００２６】
図４に示すように、光源３５は、左固定部６１の左端に固定され、導光板４０の左端部４１と左右方向に対向する。光源３５は、左固定部６１及び左端部４１を介して、導光板４０の内部に光を照射可能である。導光板４０の内部に進入した光は、右側（即ち右端部４２側）に向いながら、上下に広がるようにして進む。本実施形態の光源３５は、赤色を放つ第一発光素子（図示略）、青色を放つ第二発光素子３５Ｂ、黄色を放つ第三発光素子３５Ｃを含む。第一発光素子、第二発光素子３５Ｂ、及び第三発光素子３５Ｃは、いずれも発光ダイオードであり、左固定部６１の湾曲方向に沿って順に配置される。第一発光素子、第二発光素子３５Ｂ、第三発光素子３５Ｃの互いの詳細な位置関係については、後述する。
【００２７】
図５に示すように、導光板４０の基部４５は、入射面４３、拡散面４６、及び出射面４７を備える。入射面４３は、基部４５の左端面であり、左右方向に対して直交するようにして延びる面である。光源３５の光は、入射面４３を介して基部４５の内部に進入する。拡散面４６は、基部４５の内周面である。拡散面４６は、開口孔４６Ａを形成する。開口孔４６Ａは、導光板４０が湾曲する方向に亘って形成される。即ち、開口孔４６Ａは、拡散面４６の一部と他部を対角上に結ぶ連結部材が一切配置されていない。出射面４７は、基部４５の外周面である。拡散面４６には、所定のパターンに沿って所定ピッチで配置された複数のプリズム３２１が形成される。プリズム３２１が配置されるパターンは、導光板４０が表示する図柄に応じて定まる。複数のプリズム３２１は、所定ピッチで格子状に形成されてもよいし、所定ピッチで千鳥状に配置されてもよい。
【００２８】
各プリズム３２１は、例えば、拡散面４６において所定の長さを有する略三角形状の溝として形成される。所定の長さは、例えば、１００μｍ〜数ｍｍである。各プリズム３２１の左端面は、光源３５側を向く反射面３２１Ａである。反射面３２１Ａは、拡散面４６に対して所定の角度で傾斜する。反射面３２１Ａの傾斜角度は、入射面４３から入射された光源３５の光を反射面３２１Ａが出射面４７へ全反射できる角度であり、本実施形態では一例として４０°〜５０°である。反射面３２１Ａが、光源３５の光を全反射させることで、出射面４７から導光板４０の外周面側（外側）へ光源３５の光は放たれる。これにより、所定のパターンが発光しているように見える。故に、導光板４０は、所定の図柄を浮かび上がらせることができる。
【００２９】
尚、上記の所定のパターンが形成された領域の面積と、プリズム３２１が形成された領域の面積との比を示す配置密度は、光源３５の消灯時に遊技者が導光板４０の内側を視認できる程度であることが好まく、本実施形態の配置密度は３０％以下である。また、導光板４０について、全透過光に対する拡散光の割合を示すヘイズ値は、光源３５の消灯時に遊技者が導光板４０の内側を視認できる程度であることが好ましく、本実施形態のヘイズは３０％以下である。
【００３０】
本実施形態では、導光板４０は一例として三つの図柄を表示する。三つの図柄は、「Ａ」を示す第一図柄、「Ｂ」を示す第二図柄、及び「Ｃ」を示す第三図柄である。表示されるときの第一図柄、第二図柄、及び第三図柄は、導光板４０の湾曲方向に沿って、右側面視で時計回り側から順に配置される（図４参照）。つまり、各図柄に対応する複数のプリズム３２１が配置される領域は、導光板４０の湾曲方向に沿って、三つ配置される。第一図柄に対応する複数のプリズム３２１の左方には、光源３５の第一発光素子が配置される。同様に、第二図柄に対応する複数のプリズム３２１の左方には第二発光素子３５Ｂが、第三図柄に対応する複数のプリズム３２１の左方には第三発光素子３５Ｃが、それぞれ配置される。よって、導光板４０は、第一図柄を赤色で、第二図柄を青色で、第三図柄を黄色でそれぞれ表示可能である。光源３５が発光しない場合、第一図柄、第二図柄、及び第三図柄は、視認不能（あるいは視認困難）である。
【００３１】
図２を参照し、装飾体８０と装飾体駆動部９０（図示略）を説明する。装飾体駆動部９０は、装飾枠１１の後部に設けられる。装飾体駆動部９０は、支軸９１、装飾体モータ（図示略）を備える。支軸９１は、左右方向に延び、装飾体モータと駆動連結する。支軸９１の左端部４１には、装飾体８０の右端部が固定される。従って、装飾体モータが駆動することにより、装飾体８０と支軸９１は、左右方向を軸方向として一体的に回転できる。装飾体８０は、導光板４０の開口孔４６Ａ（図４参照）に挿通される。挿通された装飾体８０を、遊技者は導光板４０を介して視認可能である。
【００３２】
図２〜図４を参照し、演出装置３０の動作を説明する。演出装置３０は、一例としてリーチ演出の実行に伴って、制御部の制御により動作する。動作の開始前、図４に示すように、「Ａ」を示す第一図柄は後側にあり、「Ｂ」を示す第二図柄は上側にあり、「Ｃ」を示す第三図柄は前側にある。また、光源３５は消灯している。
【００３３】
モータ５２（図３参照）が駆動することにより、左連結ギヤ５４と右連結ギヤ５５は回転を開始する。左連結ギヤ５４と右連結ギヤ５５が、左歯部６１Ａと右歯部６２Ａを回転させることで、導光板４０は、右側面視で反時計回り（図４の矢印Ｓ方向）に回転する。第一図柄に対応する複数のプリズム３２１（図５参照）が、導光板４０の最上位位置を通過して下側に向けて回転するタイミングで、第一発光素子が発光する。これにより、第一図柄は、導光板４０上で赤色に浮かび上がりながら回転する。遊技者は、回転する第一図柄と停止している装飾体８０とを重ね合わせるようにして視認できる。第一発光素子は継続して発光する。
【００３４】
その後、「Ｃ」を示す第三図柄に対応する複数のプリズム３２１が、導光板４０の最上位位置を通過して下側に向けて回転するタイミングで、第三発光素子３５Ｃが発光する。遊技者は、黄色に浮かび上がりながら回転する第三図柄と、停止している装飾体８０とを重ね合わせて視認する。第三発光素子３５Ｃは継続して発光する。さらにその後、「Ｂ」を示す第二図柄に対応するプリズム３２１が下側に向けて回転するタイミングで、第二発光素子３５Ｂが発光する。遊技者は、青色に浮かび上がりながら回転する第二図柄と、停止している装飾体８０とを重ね合わせて視認する。第一発光素子、第二発光素子３５Ｂ、第三発光素子３５Ｃは、継続して発光する。
【００３５】
導光板４０の回転が二周目に入ると、移動手段７０（図３参照）の移動モータが回転駆動を開始する。二つのピニオン７４がラックギヤ部７２を左右方向に移動させることで、導光板４０は左右動する（図３の矢印Ｔ）。移動モータが所定時間ごとに駆動方向を切り替える。これにより、導光板４０は、三つの図柄を浮かび上がらせた状態で回転すると共に、左右方向に往復移動する。遊技者は、回転しながら左右動する導光板４０の図柄と、停止している装飾体８０とを重ね合わせて視認できる。
【００３６】
導光板４０の回転が三周目に入ると、装飾体駆動部９０（図２参照）の装飾体モータが駆動を開始する。装飾体８０は、右側面視で反時計回りに回転する（図２の矢印Ｖ）。これにより、回転しながら左右動する導光板４０の図柄と、回転する装飾体８０とを遊技者は重ね合わせて視認できる。導光板４０が三周目の回転を終えると、モータ５２、移動モータ、装飾体モータは駆動を停止し、光源３５は消灯する。演出装置３０は、動作開始前と同じ状態で停止する。
【００３７】
光源３５が発光するタイミング、モータ５２、移動モータ、装飾体モータが回転駆動するそれぞれのタイミングは、任意に変更してよい。また、光源３５が発光することなく、モータ５２、移動モータ、装飾体モータが回転駆動してもよい。このとき、遊技者は、動作する導光板４０と回転する装飾体８０とを重ね合わせて視認するが、導光板４０の図柄を視認しない。また、モータ５２、移動モータ、装飾体モータが回転駆動する方向は、任意に変更してよい。
【００３８】
さらに、パチンコ機１のその他の発光体（画像表示装置２８、遊技領域４にある遊技部材に搭載された発光ダイオード、等）が、演出装置３０の動作時に全て消灯してもよい。この場合、演出装置３０の周囲が暗くなるので、導光板４０上で浮かび上がる三つの図柄と、導光板４０の内側に設けられた装飾体８０のインパクトは更に強まる。
【００３９】
以上、説明したように、演出装置３０は、光源３５、及び導光板４０を備える。導光板４０の拡散面４６によって形成される開口孔４６Ａは、導光板４０の湾曲方向に亘って形成される。光源３５によって発光された光は、入射面４３を介して導光板４０の内部に進入する。導光板４０が、内部に進入した光を厚さ方向の一方側（外周面側）に向けて反射することで、第一図柄、第二図柄、及び第三図柄が浮かび上がるように見える。導光板４０が湾曲しているので、第一図柄、第二図柄、及び第三図柄は湾曲する。よって、導光板４０を用いた演出効果を向上させた演出装置３０が実現する。
【００４０】
演出装置３０は、導光板４０を回転可能に保持する保持手段５０を備える。保持手段５０のモータ５２が駆動することにより、導光板４０が回転するので、導光板４０を用いた演出効果は更に向上する。
【００４１】
開口孔４６Ａの内側には、装飾体８０の一部が配置される。演出装置３０の動作時、導光板４０上で浮かび上がる図柄と、装飾体８０とを、遊技者は重ねるようにして視認できる。よって、導光板４０を用いた演出効果は更に向上する。
【００４２】
光源３５は、互いに異なる光を発光する第一発光素子、第二発光素子３５Ｂ、及び第三発光素子３５Ｃを備える。これにより、第一図柄、第二図柄、第三図柄は、互いに異なる色で浮かび上がる。導光板４０上で浮かび上がる図柄がカラフルになるので、導光板４０を用いた演出効果は向上する。
【００４３】
導光板４０の内部を通過する光源３５の光の色に応じて、導光板４０は、互いに異なる第一図柄、第二図柄、及び第三図柄を表示する。色に応じて異なる図柄が導光板上で浮かび上がるので、導光板４０を用いた演出効果は更に向上する。
【００４４】
以上説明にて、パチンコ機１は本発明の「遊技機」の一例である。拡散面４６は、本発明の「一方側とは反対側の端面」の一例である。
【００４５】
本発明は、種々の変更が可能である。演出装置３０は、パチンコ機１に設けられる代わりに、例えばパチスロ機（スロットマシン）に設けられてもよい。また、演出装置３０は、観賞用の置物として、ショーケース等の内部に単独で設けられてもよい。
【００４６】
導光板４０の拡散面４６の全面に透明なシート材が貼り付けられてもよい。この場合、シート材の一端面が、開口孔４６Ａを形成することとなるが、導光板４０の拡散面４６は、開口孔４６Ａを囲むこととなる。なお、シート材は、非透光性の部材であってもよい。装飾体８０のうち導光板４０の内側にある部位は視認できなくなるが、導光板４０が左右に動くことで、装飾体８０の視認可能な部位が変化する。従って、演出装置３０は、導光板４０を用いた演出効果を向上させることができる。
【００４７】
導光板４０の外周面が拡散面４６であり、導光板４０の内周面が出射面４７であってもよい。導光板４０の図柄が導光板４０の内周面上で浮かび上がることとなるが、この場合でも、遊技者は、導光板４０の図柄の輪郭を視認することができる。
【００４８】
導光板４０が表示する図柄の個数は、一個であってもよいし、複数であってもよい。導光板４０が表示する図柄は、文字である代わりに、何らかのキャラクターであってもよい。上記実施例では、装飾体８０の一部のみが開口孔４６Ａの内側に配置されているが、装飾体８０が左右方向に亘って、開口孔４６Ａの内側に配置されてもよい。
【００４９】
導光板４０は、例えば左右方向に沿って、複数設けられてもよい。導光板４０の個数が二個である場合、保持手段５０は、導光板４０に対応して二つ設けられてもよい。そして、演出装置３０の動作時、二つのモータ５２が駆動することで、二つの導光板４０は、互いに同一方向に回転してもよいし、互いに反対方向に回転してもよい。また、二つの導光板４０は、互いに同じ速さで回転してもよいし、互いに異なる速さで回転してもよい。また、導光板４０が左右方向に沿って二つ設けられる場合、各導光板４０に対応して、支持台３２と移動手段７０が二つ設けられてもよい。この場合、二つの導光板４０は、互いに独立して左右方向に移動できる。
【００５０】
浮かび上がる第一図柄の色については、複数のバリエーションがあってもよい。例えば、第一図柄に対応するプリズム３２１の左方に、第一発光素子と第二発光素子３５Ｂが配置されてもよい。より詳細には、第一発光素子及び第二発光素子３５Ｂが、導光板４０の湾曲方向に沿って互いに交互に配置されてもよい。また、導光板４０の厚さ方向に並ぶ第一発光素子と第二発光素子３５Ｂが、導光板４０の湾曲方向に沿って複数配置されてもよい。第二発光素子３５Ｂが消灯した状態で第一発光素子が発光すれば、第一図柄は赤色に浮かび上がる。第一発光素子が消灯した状態で第二発光素子３５Ｂが発光すれば、第一図柄は青色に浮かび上がる。さらに、第一発光素子と第二発光素子３５Ｂが同時に発光する場合があってもよい。
【００５１】
移動手段７０は、支持台３２を左右方向に移動させる代わりに、導光板４０が装飾体８０と接触しない範囲内で上下動させてもよい。この場合、移動手段７０は、ラックギヤ部７２、二つのピニオン７４、及び移動モータをいずれも備えず、代わりに、ソレノイド（図示略）を備える。上下方向に延びるソレノイドのロッドが、支持台３２の下部に連結すれば、ソレノイドの駆動により支持台３２が上下動できる。
【００５２】
装飾体駆動部９０は、装飾体８０を回転させる代わりに左右方向に移動させてもよい。この場合、支軸９１は、装飾体モータに代えてソレノイドと連結し、ソレノイドの駆動により、装飾体８０は支軸９１と一体的に左右方向に移動する。
【００５３】
保持手段５０は、上記実施例に限定されない。図６を参照し、保持手段５０の変形例である保持手段１５０を説明する。尚、上記実施例と同一の部材については、図面上で同一の符号を付与し、詳細な説明については省略する。
【００５４】
保持手段５０に代えて保持手段１５０が採用される場合、左固定部６１には、左歯部６１Ａ（図３参照）に代えて左溝部１０１が形成され、右固定部６２には、右歯部６２Ａ（図３参照）に代えて右溝部１０２が形成される。左溝部１０１と右溝部１０２は、いずれも、導光板４０の湾曲方向に沿って円弧状に延び、導光板４０の内周面側に向けて凹む。左溝部１０１と右溝部１０２は、側面視で円環状である。
【００５５】
保持手段１５０は、軸部材１５１、連結ギヤ１５９、駆動モータ（図示略）、左回転部１４４、右回転部１４５、右ワイヤ１５３、及び左ワイヤ１５４を備える。軸部材１５１は、装飾枠１１（図２参照）の後上部に設けられ、左右方向を軸方向として回転可能である。連結ギヤ１５９は、軸部材１５１の右端部に固定され、駆動モータと駆動連結する。左回転部１４４は、軸部材１５１の左端部４１に固定され、左溝部１０１の真上に位置する。右回転部１４５は、左回転部１４４と連結ギヤ１５９との間で軸部材１５１に固定され、右溝部１０２の真上に位置する。以上説明した、軸部材５１、連結ギヤ１５９、駆動モータ、左回転部１４４、及び右回転部１４５は、遊技者にとって視認不能である。
【００５６】
左ワイヤ１５４は、弛むことなく伸張した状態で、左溝部１０１と左回転部１４４に架け渡される。右ワイヤ１５３は、弛むことなく伸張した状態で、右溝部１０２と右回転部１４５に架け渡される。左ワイヤ１５４と右ワイヤ１５３は、例えばナイロンやアクリルによって形成されており、透明で且つ十分に細く、それゆえ、遊技者にとって非常に視認困難である。よって、導光板４０は、左ワイヤ１５４と右ワイヤ１５３によって吊るされており、宙に浮いたように見える。
【００５７】
上記構成によれば、駆動モータが駆動することにより、軸部材１５１は回転する。左回転部１４４と右回転部１４５は、軸部材１５１と共に回転する。これにより、左ワイヤ１５４と右ワイヤ１５３は回転し、左溝部１０１と右溝部１０２を回転させる。従って、導光板４０は、左右方向に延びる軸線を中心に回転できる。つまり、保持手段１５０は、導光板４０及び光源３５を回転可能に保持できる。
【００５８】
保持手段１５０は、駆動モータを備えなくてもよい。この場合、例えば、軸部材１５１の左端部が遊技領域４（図２参照）の内部に配置され、軸部材１５１の左端部に板状部材が固定される。板状部材は、軸部材１５１の周方向に厚さを有し、遊技領域４を流下する遊技球と接触可能である。この場合、遊技球が板状部材に接触することにより、軸部材１５１は回転する。
【００５９】
保持手段５０、保持手段１５０に代えて、磁気浮上を利用して導光板４０を回転可能に保持する保持手段（以下、特定保持手段という）が採用されてもよい。特定保持手段（図示略）が採用される場合、左固定部６１の左歯部６１Ａと、右固定部６２の右歯部６２Ａは、磁性体（永久磁石）によって形成される（もしくは、左歯部６１Ａと右歯部６２Ａを構成する各歯の内部に棒状の永久磁石が埋め込まれてもよい）。そして、左歯部６１Ａの基端部と右歯部６２Ａの基端部の磁性が、導光板４０の湾曲方向に沿って交互にＮ極とＳ極になるように、左歯部６１Ａと右歯部６２Ａは構成される。さらに、左右方向に並ぶ二つの左歯部６１Ａの基端部と右歯部６２Ａの基端部は、互いに同じ磁性となるように構成される。特定保持手段は、導光板４０上端部の真下（つまり開口孔４６Ａの上部）を通過する導線（図示略）を有する。導線に流れる電流により磁気が生じる結果、導光板４０は磁気浮上し、導光板４０に流れる電流の方向が切り替わることによって、導光板４０は回転することができる。
【００６０】
特定保持手段は、導線に代えて左右方向に延びる棒状の永久磁石を有してもよい。棒状の永久磁石は左右に十分長く、Ｎ極の部位だけが導光板４０に挿通される。この場合、右歯部６２Ａと左歯部６１Ａの基端部がいずれもＳ極を有していれば、導光板４０は磁気浮上できる。さらに、導光板４０の左右にそれぞれ導線が配置され、且つ、導光板４０の左右位置を検知するセンサが配置される。センサは、磁気センサでもよいし、光学式のセンサでもよい。センサの検知結果に応じて（つまり導光板４０の左右位置に応じて）、上記の二つの導線に流す電流が切り替われば、導光板４０の左右の両側には、導光板４０の左右位置に応じた磁場が生じる。導光板４０の左歯部６１Ａと右歯部６２Ａとが磁性を有する。従って、導光板４０の左右位置に応じた磁場により、導光板４０は適切な左右位置で保持される。
【００６１】
図７では、演出装置３０の変形例である演出装置３１を図示する。演出装置３０は、導光板１４０、光源（図示略）、及び保持手段２５０を備える。導光板１４０は、導光板４０と同様の構成を有し、第一図柄、第二図柄、及び第三図柄を、光源の光によって表示できる。本変形例における光源は、光源３５と同様の構成を有し、導光板１４０の左端に設けられる。導光板１４０は、上下方向に延びる板状であると共に、左右方向に延びる軸線（図示略）を中心に前方に向けて円弧状に湾曲する板状である。導光板１４０の内周面は、拡散面１４６である。拡散面１４６の構成は、拡散面４６と同様である。拡散面１４６は、開口孔１４６Ａを形成する。つまり、拡散面１４６は開口孔１４６Ａを囲む。
【００６２】
保持手段２５０は、回転モータ２５１を備える。回転モータ２５１は、上下方向に延びる出力軸２５２を備える。出力軸２５２の上端部は、導光板１４０の下端部に連結する。従って、回転モータ２５１が駆動することにより、導光板１４０は、上下方向を軸方向として回転する。
【００６３】
導光板１４０が湾曲する方向は任意である。導光板１４０は、左右方向に延びる軸線を中心に湾曲する代わりに、上下方向に延びる軸線を中心に湾曲してもよいし、半球状に形成されてもよい。導光板１４０が半球状に形成される場合、導光板１４０の湾曲中心は軸線である代わりに、仮想的な特定の点となる。導光板１４０が半球状に形成される場合、導光板１４０の左右方向における両端部のそれぞれに光源３５が設けられる。左側の光源３５と右側の光源３５が、導光板１４０の左右方向の中心に向けて光を照射すれば、導光板４０上で浮かび上がる図柄は、明瞭に浮かび上がる。本変形例において、開口孔１４６Ａの内側に装飾体８０（図２参照）が挿通されてもよい。
【００６４】
尚、請求項、明細書および図面に記載される全ての要素（例えば、表示装置、大入賞装置、演出装置、等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【００６５】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００６６】
１                    パチンコ機
３０、３１            演出装置
３５                  光源
４０                  導光板
４６Ａ                開口孔
５０、１５０、２５０  保持手段
８０                  装飾体
【図１】
2019209015.tif 000003
【図２】
2019209015.tif 000004
【図３】
2019209015.tif 000005
【図４】
2019209015.tif 000006
【図５】
2019209015.tif 000007
【図６】
2019209015.tif 000008
【図７】
2019209015.tif 000009